(57)【要約】      （修正有）【課題】カードの誤挿入を防止し、強度を向上させると共に、カード或は相手接続体の先端部の傷付きを防止できるカード用コネクタ或はコネクタを提供する。【解決手段】  カード用コネクタは、複数の端子１６が並列して装着された絶縁ハウジング１２と、前記絶縁ハウジングの少なくとも一部を覆うように設けられたメタルシェル１３とを備え、前記メタルシェル１３は、カード受入空洞２４に挿入されたカード２６の接点が並列して設けられた面と対向する覆い板部２１を有し、該覆い板部２１を切り起こした破断面３０Ａを、折り曲げた板部材で覆ってカード２６が板面に当接する誤挿入防止用突部３１を形成すると共に、該カード２６と当接する板面の反対側の切起こした破断面３０Ａの一辺が前記覆い板部２１を切欠いた切欠き端部に当接するようにしたことである。【選択図】図３
2006261022.tif 000002
【特許請求の範囲】
【請求項１】
複数の端子が並列して装着された絶縁ハウジングと、前記絶縁ハウジングの少なくとも一部を覆うように設けられたメタルシェルとを備え、
前記絶縁ハウジングと前記メタルシェルが共同して形成したカード受入空洞に、前記端子のコンタクト片を臨ませて、カード受入空洞に挿入されたカードの接点に係合するようにしたカード用コネクタであって、
前記メタルシェルは、カード受入空洞に挿入されたカードの接点が並列して設けられた面と対向する覆い板部を有し、該覆い板部を切起こした第１破断面でカードと当接する誤挿入防止用突部を形成すると共に、該カードと当接する第１破断面の反対側の切起こした第２破断面の一辺が前記覆い板部を切欠いた切欠き端部に当接するようにしたことを特徴とするカード用コネクタ。
【請求項２】
前記誤挿入防止用突部は、前記第１破断面を、折り曲げた板部材で覆ってカードが板面に当接するようにしてカードの誤挿入時に傷をつけないようにしたことを特徴とする請求項１に記載のカード用コネクタ。
【請求項３】
複数の端子が並列して装着された絶縁ハウジングと、前記絶縁ハウジングの少なくとも一部を覆うように設けられたメタルシェルとを備え、
前記絶縁ハウジングと前記メタルシェルが共同して形成したカード受入空洞に、前記端子のコンタクト片を臨ませて、カード受入空洞に挿入されたカードの接点に係合するようにしたカード用コネクタであって、
前記メタルシェルは、カード受入空洞に挿入されたカードの接点が並列して設けられた面と対向する覆い板部を有し、該覆い板部を切起こした第１破断面を、折り曲げた板部材で覆ってカードが板面に当接する誤挿入防止用突部を形成することを特徴とするカード用コネクタ。
【請求項４】
端子が装着された絶縁ハウジングと、前記絶縁ハウジングを覆うように設けられたメタルシェルとを備え、
前記絶縁ハウジングと前記メタルシェルが共同して形成した受入空洞に、相手接続体が挿抜できるようにしたコネクタであって、
前記メタルシェルは、その一部を切起こした第１破断面で前記受入空洞に挿入された前記相手接続体の一部と当接するストッパを形成すると共に、該相手接続体の一部と当接する第１破断面の反対側の切起こした第２破断面の一辺が切欠いた切欠き端部に当接するようにしたことを特徴とするコネクタ。
【請求項５】
前記ストッパは、前記第１破断面を、折り曲げた板部材で覆って前記相手接続体の一部が板面に当接するようにして前記相手接続体に傷をつけないようにしたことを特徴とする請求項４に記載のコネクタ。
【請求項６】
端子が装着された絶縁ハウジングと、前記絶縁ハウジングを覆うように設けられたメタルシェルとを備え、
前記絶縁ハウジングと前記メタルシェルが共同して形成した受入空洞に、相手接続体が挿抜できるようにしたコネクタであって、
前記メタルシェルは、その一部を切起こした第１破断面を、折り曲げた板部材で覆って前記相手接続体の一部が板面に当接するストッパを形成したことを特徴とするコネクタ。
【請求項７】
端子が装着された絶縁ハウジングと、前記絶縁ハウジングを覆うように設けられたメタルシェルとを備え、
前記絶縁ハウジングは、被係止部が設けられ、
前記メタルシェルは、その一部を切起こして形成された第１破断面を有する係止用突部が設けられ、
前記被係止部と前記係止用突部は、前記第１破断面で当接し、
前記第１破断面の反対に位置する第２破断面が、前記メタルシェルを切欠いた切欠き端部に当接することを特徴とするコネクタ。
【発明の詳細な説明】
【技術分野】
【０００１】
本発明は、カード用コネクタ及びコネクタに関し、詳しくはカードの誤挿入を防止する誤挿入防止機構及び相手接続体の挿入をストップさせるストッパ機構に改良を加えてカードの傷つきの問題を解決すると共に、誤挿入防止機構及びストッパ機構の強度強化を図ったカード用コネクタ及びコネクタに関する。
【背景技術】
【０００２】
従来技術におけるカード用コネクタは、図１６に示すように、複数の端子１１が並列して装着された絶縁ハウジング１２と、この絶縁ハウジング１２を覆うように設けられたメタルシェル１３とから構成されている。
絶縁ハウジング１２は、端子装着部１４と側壁部１５を略直角に連続させて平面Ｌ字形に形成されている。
複数の端子１１は、図１６及び図１８に示すように、端子装着部１４の一端からコンタクト片１６が片持ち梁状に連続して延びていると共に、端子装着部１４の他端からＬ字形の半田テイル１７が連続して延びた形状に形成されて、端子装着部１４に形成された端子挿着孔１８に挿通、係止させて、各コンタクト片１６が側壁部１５（図１６参照）の延びる方向に臨み、半田テイル１７の半田付け部１９が絶縁ハウジング１２の底面と略面一となるようにしてある。
【０００３】
メタルシェル１３は、図１６及び図１７に示すように、絶縁ハウジング１２の上部を覆うようにした略方形の覆い板部２１の一面に、絶縁ハウジング１２の側壁部１５の外面に沿って垂下するようにした第１側板部２２が連続して形成されていると共に、覆い板部２１の他側には、第１側板部２２と対向して垂下する第２側板部２３が連続して、扁平な逆Ｕ字形に形成されている。
【０００４】
このような絶縁ハウジング１２とメタルシェル１３によって、絶縁ハウジング１２の端子装着部１４の前方で、側壁部１５の前方に、カード受入空洞２４が形成されている。このカード受入空洞２４は、上側がメタルシェル１３の覆い板部２１で仕切られ、一側が絶縁ハウジング１２の側壁部１５で仕切られ、そして、他側がメタルシェル１３の第２側板部２３で仕切られている。又、カード受入空洞２４は、絶縁ハウジング１２の側壁部１５の端部側で開口し、この開口部をカード挿入口２５としてカード２６を挿入、抜去できるようになっている。
カード受入空洞２４に挿入されたカード２６は、絶縁ハウジング１２の側壁部１５と、メタルシェル１３の第２側板部２３で各側縁がガイドされて、端子装着部１４に近づいたり離れたりできるようになっている。
【０００５】
カード２６は、図２に示すように、カード受入空洞２４に挿入できる大きさに形成され、前端部に端子１１の数に相当する接点２７を備えている。
このカード２６の各接点２７は、カード２６の上面の前端側に形成した接点溝２８の底部に収容されて露出しているものであるが、カード２６の上面の前端側には、並列した接点溝２８群の一側に、更に進入溝２９が設けられている。そして、図１６及び図１７に示すように、この進入溝２９と対応するようにして、メタルシェル１３の覆い板部２１に誤挿入防止用突部３１Ａが設けられている。
この誤挿入防止用突部３１Ａは、図１６及び図１７に示すように、覆い板部２１内に突部開口３２を形成し、その内側をカード受入空洞２４側に切り起こして断面Ｕ字形に成形したもので、切り起こしによる破断面３０をカード受入空洞２４のカード挿入口２５に対向するようにしている。
この誤挿入防止用突部３１Ａの破断面３０は、端子１１のコンタクト片１６の先端よりもカード挿入口２５側に位置するようにして設けられている。
【０００６】
いま、カード受入空洞２４にカード２６を挿入すると、カード２６の接点２７が端子１１のコンタクト片１６に近接していき最終的にコンタクト部２０と接点２７が係合する（図２参照）。一方、カード２６に形成した進入溝２９が覆い板部２１に設けた誤挿入防止用突部３１Ａに近接していき、カード２６の挿入に従って誤挿入防止用突部３１Ａが進入溝２９に進入していくようになっている。
【０００７】
カード２６の誤挿入の場合は、カード２６の上面を下向きにして前端から挿入する場合と、カード２６の後端を前方にして挿入する、所謂、逆さしの場合がある。いずれの場合も、メタルシェル１３の覆い板部２１に設けた誤挿入防止用突部３１Ａが進入してくる溝が存在しないので、カード２６の前端または後端が誤挿入防止用突部３１Ａに衝突することにより、それ以上の挿入を制限することができる。
【特許文献１】特開２００４−１２７７３１号（第４頁〜７頁、第１図）
【発明の開示】
【発明が解決しようとする課題】
【０００８】
しかしながら、上記背景技術の項で説明した従来技術のカード用コネクタは、カードの誤挿入を防止するための誤挿入防止用突部が、破断面がＵ字状に切り欠いて形成したものであるために、その切り欠いた断面に直接カードが当接するために、強く挿入したりすると、へたり等が生じ、カード自体に損傷を加えるという問題がある。
従って、誤挿入防止用突部を切り欠いて形成するものであっても、当接する位置でカードが損傷を受けにくい構造、並びにカード等の相手接続体の挿入をストップさせるストッパ機構において当接する先端部に損傷を受けにくい構造及び強度強化を図った誤挿入防止機構並びにストッパ機構に解決しなければならない課題を有する。
【課題を解決するための手段】
【０００９】
上記課題を解決するために、本発明に係るカード用コネクタ及びコネクタは、次に示す構成にすることである。
【００１０】
（１）カード用コネクタは、複数の端子が並列して装着された絶縁ハウジングと、前記絶縁ハウジングの少なくとも一部を覆うように設けられたメタルシェルとを備え、前記絶縁ハウジングと前記メタルシェルが共同して形成したカード受入空洞に、前記端子のコンタクト片を臨ませて、カード受入空洞に挿入されたカードの接点に係合するようにしたカード用コネクタであって、前記メタルシェルは、カード受入空洞に挿入されたカードの接点が並列して設けられた面と対向する覆い板部を有し、該覆い板部を切起こした第１破断面でカードと当接する誤挿入防止用突部を形成すると共に、該カードと当接する第１破断面の反対側の切起こした第２破断面の一辺が前記覆い板部を切欠いた切欠き端部に当接するようにしたことである。
（２）前記誤挿入防止用突部は、前記第１破断面を、折り曲げた板部材で覆ってカードが板面に当接するようにしてカードの誤挿入時に傷をつけないようにしたことを特徴とする（１）に記載のカード用コネクタ。
【００１１】
（３）カード用コネクタは、複数の端子が並列して装着された絶縁ハウジングと、前記絶縁ハウジングの少なくとも一部を覆うように設けられたメタルシェルとを備え、前記絶縁ハウジングと前記メタルシェルが共同して形成したカード受入空洞に、前記端子のコンタクト片を臨ませて、カード受入空洞に挿入されたカードの接点に係合するようにしたカード用コネクタであって、前記メタルシェルは、カード受入空洞に挿入されたカードの接点が並列して設けられた面と対向する覆い板部を有し、該覆い板部を切起こした第１破断面を、折り曲げた板部材で覆ってカードが板面に当接する誤挿入防止用突部を形成することである。
【００１２】
（４）コネクタは、端子が装着された絶縁ハウジングと、前記絶縁ハウジングを覆うように設けられたメタルシェルとを備え、前記絶縁ハウジングと前記メタルシェルが共同して形成した受入空洞に、相手接続体が挿抜できるようにしたコネクタであって、前記メタルシェルは、その一部を切起こした第１破断面で前記受入空洞に挿入された前記相手接続体の一部と当接するストッパを形成すると共に、該相手接続体の一部と当接する第１破断面の反対側の切起こした第２破断面の一辺が切欠いた切欠き端部に当接するようにしたことである。
（５）前記ストッパは、前記第１破断面を、折り曲げた板部材で覆って前記相手接続体の一部が板面に当接するようにして前記相手接続体に傷をつけないようにしたことを特徴とする（４）に記載のコネクタ。
【００１３】
（６）コネクタは、端子が装着された絶縁ハウジングと、前記絶縁ハウジングを覆うように設けられたメタルシェルとを備え、前記絶縁ハウジングと前記メタルシェルが共同して形成した受入空洞に、相手接続体が挿抜できるようにしたコネクタであって、前記メタルシェルは、その一部を切起こした第１破断面を、折り曲げた板部材で覆って前記相手接続体の一部が板面に当接するストッパを形成したことである。
【００１４】
（７）コネクタは、端子が装着された絶縁ハウジングと、前記絶縁ハウジングを覆うように設けられたメタルシェルとを備え、前記絶縁ハウジングは、被係止部が設けられ、前記メタルシェルは、その一部を切起こして形成された第１破断面を有する係止用突部が設けられ、前記被係止部と前記係止用突部は、前記第１破断面で当接し、前記第１破断面の反対に位置する第２破断面が、前記メタルシェルを切欠いた切欠き端部に当接することである。
【発明の効果】
【００１５】
本発明のカード用コネクタは、カードの誤挿入防止機構を形成するメタルシェルの覆い板部に設けた切り起こして形成された突部の第１破断面に対して反対側の切り起こした第２破断面の一辺を、切欠いた切欠き端部に当接するように形成したことで、カードの応力が切り起こしに対して直交する方向で受け且つ受けた辺の反対側の辺で切欠き端部に当接するようにしたことで、単に切り起こして形成したものであっても極めて強固なストッパとして機能する。
又、メタルシェルの一部を切り起こして形成された突部の第１破断面を、折り曲げた板部材で覆ってカードが板面に当接するようにしたことで、カードの挿入時にカードに傷をつけないようにすることができる。
【００１６】
コネクタにおいては、メタルシェルを切り起こした第１破断面を折り曲げた板部材で覆ってストッパとし、且つ相手接続体の先端部と当接する第１破断面の反対側の切起こした第２破断面の一辺が切欠いた切欠き端部に当接するようにしたことで、相手接続体（相手側コネクタ）をコネクタに差込んだときにその先端部が当接してもへたり等が発生せず、しかも先端部に傷をつけないようにすることができる。
【００１７】
更に、被係止部と係止用突部を第１破断面で当接させ、第１破断面と反対に位置する第２は断面を、メタルシェルを切欠いた切欠き端部に当接させることにより、構成部品の組立てに関する係止構造の強度を増すことができる。
【発明を実施するための最良の形態】
【００１８】
次に、本発明に係るカード用コネクタ及びコネクタの実施例について、図面を参照して説明する。尚、従来説明したものと同じものには同一符号を付与して説明する。
【実施例１】
【００１９】
本願発明に係る第１実施例のカード用コネクタは、従来技術で説明したカード用コネクタと同様の構造をしており、唯一相違する点は、カードの誤挿入防止用突部に改良を加えて、カードへのダメージをなくすと共に、カードの強引な差込に対して撓み等が発生しない構造にした点に大きな特徴がある。又、カードとの当接部位を板面にしたことでカード挿入時におけるカードの傷付きを防止した構造にした点にも特徴がある。
【００２０】
その構成は、図１に示すように、複数の端子１１が並列して装着された絶縁ハウジング１２と、この絶縁ハウジング１２を覆うように設けられたメタルシェル１３とから構成されている。
絶縁ハウジング１２は、図２に示すように、端子装着部１４と側壁部１５を略直角に連続させて平面Ｌ字形に形成されている。
複数の端子１１は、図１及び図２に示すように、端子装着部１４の一端からコンタクト片１６が片持ち梁状に連続して延び、コンタクト片１６の屈曲した位置にカード２６の接点２７と電気的に接続するコンタクト部２０を備えていると共に、端子装着部１４の他端からＬ字形の半田テイル１７が連続して延びた形状に形成されて、端子装着部１４に形成された端子挿着孔１８に挿通、係止させて、各コンタクト片１６が側壁部１５の延びる方向に臨み、半田テイル１７の半田付け部１９が絶縁ハウジング１２の底面と略面一となるようにしてある。
【００２１】
メタルシェル１３は、図１及び図３に示すように、絶縁ハウジング１２の上部を覆うようにした略方形の覆い板部２１の一面に、絶縁ハウジング１２の側壁部１５の外面に沿って垂下するようにした第１側板部２２が連続して形成されていると共に、覆い板部２１の他側には、第１側板部２２と対向して垂下する第２側板部２３が連続して、扁平な逆Ｕ字形に形成されている。
【００２２】
このような絶縁ハウジング１２とメタルシェル１３によって、絶縁ハウジング１２の端子装着部１４の前方で、側壁部１５の前方に、カード受入空洞２４が形成されている。このカード受入空洞２４は、上側がメタルシェル１３の覆い板部２１で仕切られ、一側が絶縁ハウジング１２の側壁部１５で仕切られ、そして、他側がメタルシェル１３の第２側板部２３で仕切られている。又、カード受入空洞２４は、絶縁ハウジング１２の側壁部１５の端部側で開口し、この開口部をカード挿入口２５としてカード２６を挿入、抜去できるようになっている。
カード受入空洞２４に挿入されたカード２６は、絶縁ハウジング１２の側壁部１５と、メタルシェル１３の第２側板部２３で各側縁がガイドされて、端子装着部１４に近づいたり離れたりできるようになっている。
【００２３】
カード２６は、図２に示すように、カード受入空洞２４に挿入できる大きさに形成され、前端部に端子１１の数に相当する接点２７を備えている。
このカード２６の各接点２７は、カード２６の上面の前端側に形成した接点溝２８の底部に収容されて露出しているものであるが、カード２６の上面の前端側には、並列した接点溝２８群の一側に、更に進入溝２９が設けられている。そして、この進入溝２９と対応するようにして、メタルシェル１３の覆い板部２１に誤挿入防止用突部３１が設けられている。
この誤挿入防止用突部３１は、図３に示すように、覆い板部２１内に突部開口３２を形成し、その内側をカード受入空洞２４側に切り起こして断面四角形状に成形したもので、切り起こしによる四角形状の第１破断面３０Ａをカード受入空洞２４のカード挿入口２５に対向するようにしている。
この誤挿入防止用突部３１の第１破断面３０Ａは、端子１１のコンタクト片１６の先端よりもカード挿入口２５側に位置するようにして設けられている。
【００２４】
この断面四角形状に形成した誤挿入防止用突部３１は、図４に示すように、覆い板部２１の平板部分の一辺に連続させた第１の板３３、第２の板３４及び四角形状の面積を広くした第３の板３５を所定隙間を有するようにして打ち抜く。
そして、図５に示すように、基部側の第１の板３３を垂下方向に折り曲げ、折り曲げた第１の板３３に連続する第２の板３４を基部側から離れる、直交する方向に折り曲げ、更に板広の第３の板３５を最初に折り曲げた第１の板３３と平行になるように折り曲げることで、断面が四角形状の突部である第１破断面３０Ａが完成する。この第１破断面３０Ａの反対側の第２版断面３０Ｂでは平行に折り曲げた板広の第３の板３５のエッジ（切起こした四角形状の一辺）３５ａが覆い板部２１の切欠いたエッジ（切欠き端部）２１ａに当接することで、より強固な突部になり、カードの誤挿入に対しても撓むことなくカードの挿入を防止できる。
【００２５】
別の例の誤挿入防止用突部３１は、図７に示すように、略四角形状の第１破断面３０Ａに、更に四角形状の板部材（第５の板４１）を折り曲げてカードの当接部位を面状に形成し、且つ当接する反対側で第２破断面３０Ｂのエッジ３９ａに当接させることで補強も兼ねた構造にして、カードの傷付きを防止することができるというものである。
それは、図６に示すように、覆い板部２１の平板部分の一辺に連続させた第１の板３６、第２の板３７、第３の板３８及び拡広の四角形状にした第４の板３９、及び第４の板３９の延長線上に設けた第５の板４１を所定隙間ができるように打ち抜く。
そして、図７に示すように、先端側の拡広の第４の板３９の延長線上の第５の板４１を垂上に折り曲げ、基部側の第１の板３６を垂下方向に折り曲げ、更に、次の第２の板３７を基部側から離れる直交する方向に折り曲げ、更に、次の第３の板３８を垂上方向に折り曲げ、最後に拡広に形成した四角形状の第４の板３９を基部側方向に折り曲げることで、第１破断面３０Ａが四角形状で且つカードが当接する側であって四角形状に形成された第１破断面３０Ａを、折り曲げた板部材（第５の板４１）で覆った構造にして、この第５の板４１がカードと当接する面になる。そして、この第１破断面３０Ａの反対側の第２破断面３０Ｂがエッジ３９ａに当接させる構造にする。
このように、カードに当接する箇所を面構造にすることで、カードに付ける傷は皆無に等しくなり、第１破断面３０Ａの反対側の第２破断面３０Ｂでエッジ３９ａに当接することで、突部自体が堅牢なものになる。
【００２６】
更に、別の例の誤挿入防止用突部３１は、図９に示すように、略四角形状の破断面に、更に四角形状の板部材（第４の板４５）を折り曲げてカードの当接部位を面状に形成することでカードの傷付きを防止することができるというものである。
それは、図８に示すように、覆い板部２１の平板部分の一辺に連続させた第１の板４２、第２の板４３、第３の板４４及び第３の板４４に連設した延長戦上に設けた四角形状の第４の板４５を所定隙間ができるように打ち抜く。
そして、図９に示すように、先端側の拡広の第３の板４４の延長線上の第４の板４５を垂上に折り曲げ、基部側の第１の板４２を垂下方向に折り曲げ、更に、次の第２の板４３を基部側から離れる直交する方向に折り曲げ、更に、次の第３の板４４を垂上方向に折り曲げることで、四角形状の第１破断面３０Ａが作成され、この第１破断面３０Ａの一部である第１の板４２のエッジ４２ａに第３の板４４の自由端部４５ａが当接した状態になる。
このようにして、第１〜第３の板４２、４３、４４で形成された第１破断面３０Ａが四角形状で且つカードが当接する側であって四角形状に形成されたこの第１破断面３０Ａを、折り曲げた板部材（第４の板４５）で覆った構造にして、この第４の板４５がカードと当接する面になる。この第４の板４５は自由端部４５ａが第１の板４２のエッジ４２ａに当接した状態になっているため、カードが第４の板４５の面に当接しても簡単には撓む等しない堅牢な構造となっている。このように、カードに当接する箇所を面構造にすることで、カードに付ける傷は皆無に等しくなる。
【００２７】
上記様々な形状をした誤挿入防止用突部３１を備えたコネクタにおいて、図１及び図２に示すように、いま、カード受入空洞２４にカード２６を挿入すると、カード２６の接点２７が端子１１のコンタクト片１６に近接していき最終的にコンタクト部２０と接点２７が係合する一方、カード２６に形成した進入溝２９が覆い板部２１に設けた誤挿入防止用突部３１に近接していき、カード２６の挿入に従って誤挿入防止用突部３１が進入溝２９に進入していくようになっている。
【００２８】
カード２６の誤挿入の場合は、カード２６の上面を下向きにして前端から挿入する場合と、カード２６の後端を前方にして挿入する、所謂、逆さしの場合がある。いずれの場合も、メタルシェル１３の覆い板部２１に設けた誤挿入防止用突部３１が進入してくる溝が存在しないので、カード２６の前端または後端が誤挿入防止用突部３１に衝突することにより、それ以上の挿入を制限することができる。
このとき、無理にこじり等して押し込んでも、誤挿入防止用突部３１が四角形状に形成されているために、誤挿入防止用突部３１には何ら影響を与えることなく、更にカード２６にも傷等を付けることがない。
【実施例２】
【００２９】
次に、本願発明に係る第２実施例のコネクタについて図面を参照にして説明する。
【００３０】
第２実施例のコネクタは、図１０乃至図１３に示すように、複数の端子が装着されている絶縁ハウジング５１と、この絶縁ハウジング５１を覆うように設けられた金属製部材のメタルシェル６１とからなる。
絶縁ハウジング５１は、上部が台形形状に形成し、連設した下部が直方体形状に形成した本体５２と、本体５２の中央部から連設して突出形成した平板形状の端子係合部５３と、本体５２の左右端から外方向に突出形成したメタルシェル係合突部５４ａ、５４ｂを設けた構造となっている。
端子係合部５３は、複数の端子５５、実施例においては４つの端子５５が整列状態に配置される端子溝部５６を、表裏の対称位置に備えた構成になっている。
本体５２の下部位置には、端子５５を係合するためのストッパ収納部５７を設け、このストッパ収納部５７は、端子係合部５３の端子溝部５６に連通した構造となっており、更に、図１０に示す、端子係合部５３側の側壁を切り欠いてメタルシェル６１を切欠いて形成されたストッパ６４を収納するストッパ収納部５７を設けた構造となっている。
【００３１】
メタルシェル６１は、金属製部材で、一枚板部材を絶縁ハウジング５１の外面に合わせて折り曲げて形成されたもので、前部に端子係合部５３を中央位置にした受入空洞６２を形成する。そして、後部には、絶縁ハウジング５１をメタルシェル６１内部に係合して抜け止めをするハウジング押え突部６３ａ、６３ｂと、その下部位置に絶縁ハウジング５１を一定位置に係合するためのメタルシェル係合突部５４ａ、５４ｂを係合するハウジング係合溝７０ａ、７０ｂを設けた構造となっている。
更に、メタルシェル６１の天井部位であって絶縁ハウジング５１の本体５２を切欠いたストッパ収納部５７の位置に切欠いて形成したストッパ６４を備えた構成になっている。
ストッパ６４は、受入空洞６２側に切り起こして断面四角形状に形成したもので、切起こしによる四角形状の第１破断面３０Ａを相手接続体である相手側コネクタ７２が挿入する方向に対向するように形成されている。
【００３２】
この断面四角形状に形成したストッパ６４は、図１１及び図１５に示すように、略四角形状の第１破断面３０Ａに、更に四角形状の板部材（第４の板６８）を折り曲げて相手側コネクタ７２の先端部７３に当接する部位を面状に形成し、且つ当接する反対側の切起こした第２破断面３０Ｂの一辺６９が切欠いた切欠き端部７１に当接させることで補強も兼ねた構造にして、相手側コネクタ７２の先端部７３の傷付きを防止することができるというものである。
その作成は、図１４に示すように、平板部分の一辺に連続させた第１の板６５、第２の板６６、拡広に形成した第３の板６７及び第３の板６７の延長線上に設けた第４の板６８を所定隙間ができるように打ち抜く。
そして、図１５に示すように、先端側の拡広の第３の板６７の延長線上の第４の板６８を垂上に折り曲げ、基部側の第１の板６５を垂下方向に折り曲げ、更に、次の第２の板６６を基部側から離れる直交する方向に折り曲げ、更に、次の第３の板６７を垂上方向に折り曲げることで、破断面が四角形状で且つ相手側コネクタ７２の先端部７３が当接する側であって四角形状に形成された第１破断面３０Ａを、折り曲げた板部材（第４の板６８）で覆った構造にして、この第４の板６８が相手側コネクタ７２の先端部７３に当接する面になる。
このように、第１〜第３の板６５、６６、６７を折り曲げて略四角形状の第１破断面３０Ａに形成し、更に四角形状の板部材（第４の板６８）を折り曲げて相手側コネクタ７２の先端部７３に当接する部位を面状に形成することで相手側コネクタ７２の先端部７３に付ける傷は皆無に等しくなる。更に、当接する反対側の切起こした第２破断面３０Ａの一辺６９が切欠いた切欠き端部７１に当接させることで補強も兼ねた構造になる。
【００３３】
このようにして作成されたストッパ機構を含むメタルシェル６１は、絶縁ハウジング５１の前方方向から差込み、メタルシェル係合突部５４ａ、５４ｂにハウジング係合溝７０ａ、７０ｂを係合させる。そして、ハウジング押え突部６３ａ、６３ｂを内側方向に折り曲げることでストッパ６４はストッパ収納部５７に収納された状態で組立ては完成する。
【００３４】
このようにして組立てられたコネクタは、図１０に示すように、相手側コネクタ（相手接続体）７２を挿抜自在な構成になっており、相手側コネクタ７２を受入空洞６２に挿入すると、中央の端子係合部５３にガイドされ、端子５５が相手側コネクタ７２の端子と電気的に接続状態になり、相手側コネクタ７２の先端部７３がストッパ６４に当接するまで差込むことで差込は完了する。この差込む際に強い外力を持って差込んでもストッパ６４の構成は切り起こした第１破断面３０Ａの反対側の第２破断面３０Ｂを切欠き端部７１（図１５参照）に当接した状態にしてあるため、へたり等が発生しない堅牢な構造になっている。
【実施例３】
【００３５】
次に、本願発明に係る第３実施例のコネクタについて説明する。
【００３６】
第３実施例のコネクタは、構成部品の組立てに関する係止構造を、メタルシェルを切り起こした第１破断面及び第２破断面を形成して係止構造を補強するというもので、その構成は、端子が装着された絶縁ハウジングと、絶縁ハウジングを覆うように設けられたメタルシェルとを備え、絶縁ハウジングは、被係止部が設けられ、メタルシェルは、その一部を切起こして形成された第１破断面を有する係止用突部が設けられ、被係止部と係止用突部は、第１破断面で当接し、第１破断面の反対に位置する第２破断面が、メタルシェルを切欠いた切欠き端部に当接する構成になっている。
この構成を実施例１に開示されているものにあてはめると、第１破断面３０Ａが係止用突部の第１破断面に相当し、カード端部が被係止部に相当する。そうすると、構成部品の組立てに関して係止構造を補強したものにも応用することができるのである。
【産業上の利用可能性】
【００３７】
カード用コネクタは、メタルシェルの覆い板部に設けた誤挿入防止用突部を切起こして破断面四角形状に形成したことでカードの差込によるカードの傷付き等を防止できるカード用コネクタを提供する。
又、ストッパ機構を備えたコネクタにおいては、メタルシェルを切り起こした破断面でストッパとしたことで相手接続体（相手側コネクタ）をコネクタに差込んだときにその先端部が当接してもへたり等が発生しない構造のコネクタを提供する。
【図面の簡単な説明】
【００３８】
【図１】本願発明に係る第１実施例のカード用コネクタの平面図である。
【図２】同、メタルシェルを外した状態の斜視図である。
【図３】同、カード挿入口方向からみた正面図である。
【図４】同、覆い板部に設けた誤挿入防止用突部を打ち抜いた状態を示した斜視図である。
【図５】同、覆い板部に設けた誤挿入防止用突部を折り曲げて四角形状に形成した様子を示した斜視図である。
【図６】同、他の例の覆い板部に設けた誤挿入防止用突部を打ち抜いた状態を示した斜視図である。
【図７】同、他の例の覆い板部に設けた誤挿入防止用突部を折り曲げて四角形状に形成した様子を示した斜視図である。
【図８】同、更に他の例の覆い板部に設けた誤挿入防止用突部を打ち抜いた状態を示した斜視図である。
【図９】同、更に他の例の覆い板部に設けた誤挿入防止用突部を折り曲げて四角形状に形成した様子を示した斜視図である。
【図１０】本願発明に係る第２実施例のコネクタ及び相手接続体の断面図である。
【図１１】同、コネクタの正面側からみた斜視図である。
【図１２】同、コネクタの背面側からみた斜視図である。
【図１３】同、コネクタの正面図である。
【図１４】同、メタルシェルに設けたストッパを打ち抜いた状態を示した斜視図である。
【図１５】同、メタルシェルに設けたストッパを折り曲げて四角形状に形成した様子を示した斜視図である。
【図１６】従来技術におけるカード用コネクタの平面図である。
【図１７】従来技術におけるカード挿入口方向からみたＵ字型形状の誤挿入防止用突部の正面図である。
【図１８】絶縁ハウジングに設けてある複数の端子の断面図である。
【符号の説明】
【００３９】
１１；端子、１２；絶縁ハウジング、１３；メタルシェル、１４；端子装着部、１５；側壁部、１６；コンタクト片、１７；半田テイル、１８；端子装着孔、１９；半田付け部、２０；コンタクト部、２１；覆い板部、２１ａ；エッジ（切欠き端部）、２２；第１側板部、２３；第２側板部、２４；カード受入空洞、２５；カード挿入口、２６；カード、２７；接点、２８；接点溝、２９；進入溝、３０Ａ；第１破断面、３０Ｂ；第２破断面、３１；誤挿入防止用突部、３２；突部開口、３３；第１の板、３４；第２の板、３５；第３の板、３５ａ；エッジ、３６；第１の板、３７；第２の板、３８；第３の板、３９；第４の板、３９ａ；エッジ、４１；第５の板、４２；第１の板、４２ａ；エッジ、４３；第２の板、４４；第３の板、４５；第４の板、４５ａ；自由端部、５１；絶縁ハウジング、５２；本体、５３；端子係合部、５４ａ；メタルシェル係合突部、５４ｂ；メタルシェル係合突部、５５；端子、５６；端子溝部、５７；ストッパ収納部、６１；メタルシェル、６２；受入空洞、６３ａ；ハウジング押え突部、６３ｂ；ハウジング押え突部、６４；ストッパ、６５；第１の板、６６；第２の板、６７；第３の板、６８；第４の板、６９；破断面の一辺、７０ａ；ハウジング係合溝、７０ｂ；ハウジング係合溝、７１；切欠き端部、７２；相手側コネクタ（相手接続体）、７３；先端部。
【図１】
2006261022.tif 000003
【図２】
2006261022.tif 000004
【図３】
2006261022.tif 000005
【図４】
2006261022.tif 000006
【図５】
2006261022.tif 000007
【図６】
2006261022.tif 000008
【図７】
2006261022.tif 000009
【図８】
2006261022.tif 000010
【図９】
2006261022.tif 000011
【図１０】
2006261022.tif 000012
【図１１】
2006261022.tif 000013
【図１２】
2006261022.tif 000014
【図１３】
2006261022.tif 000015
【図１４】
2006261022.tif 000016
【図１５】
2006261022.tif 000017
【図１６】
2006261022.tif 000018
【図１７】
2006261022.tif 000019
【図１８】
2006261022.tif 000020